(57)【要約】【課題】短時間で装置固有情報の再入力を可能にし、入力ミスをなくす。【解決手段】制御基板１５の交換前に記憶部から装置固有情報を読出して磁気情報として書込みヘッド１２により券媒体３に書込んで発券し、制御基板１５の交換後にその券媒体３を挿入させて読取りヘッド１３により読取り、交換後の新たな制御基板１５の装置固有情報を記憶部に書込む。【選択図】図１
2008146144.tif 000002
【特許請求の範囲】
【請求項１】
磁気情報の書込みが可能な券媒体に印字や磁気書込みを行って所定の券として発券する発券装置において、
装置全体の制御を行う制御部、この制御部に制御を実行させるための制御プログラム及び装置固有の情報を記憶した制御基板を交換する前に前記記憶部に記憶されている装置固有の情報を券媒体に磁気情報として書込んで発券し、
前記制御基板の交換後、前記券媒体を挿入させ、挿入された券媒体から前記磁気情報としての装置固有の情報を読取って交換された新たな制御基板の記憶部に記憶させることを特徴とする発券装置。
【請求項２】
請求項１記載の発券装置において、
前記装置固有の情報は、各券媒体毎の累計発行枚数、印字ヘッドや磁気情報の書込みヘッド及び読取りヘッド等の寿命のある部品の使用回数、及び装置への累計通電時間等の保守用情報と、装置の主要機能である印字部、磁気情報の書込みヘッドや磁気読取りヘッド、及び媒体繰出し手段における固有の調整用の各パラメータ値、例えば媒体に対する印字位置、書込み位置、読取り位置、繰出しタイミング等の調整値情報であることを特徴とする発券装置。
【発明の詳細な説明】
【技術分野】
【０００１】
本発明は、磁気情報の書込みが可能な券媒体に印字や磁気書込みを行って乗車券や搭乗券等の所定の券として発券する発券装置に関する。
【背景技術】
【０００２】
従来のこの種の発券装置として、例えば、特許文献１に示される発券装置がある。
この発券装置では乗物の乗車券を発券する場合、ロール状の券媒体を繰出して所定の長さにカッター部で切断し、切断された券媒体に使用有効期間、利用区間、金額等の情報を印字部及び磁気書込み用の書込みヘッドにより印字及び磁気書込みを行い、磁気情報を読取りヘッドにより読取って排出口から排出する。
【０００３】
また、定期券発券する場合、カード状の券媒体を収納したホッパ部から複数のローラ等による繰出し手段により券媒体を繰出し、その券媒体に前記と同様に使用有効期間、利用区間、金額等の情報を印字部及び磁気書込み用の書込みヘッドにより印字及び磁気書込みを行い、磁気情報を読取りヘッドにより読取って排出口から排出する。
【特許文献１】特開２００２−２４５４９３（段落「００２０」〜段落「００２２」、図１）
【発明の開示】
【発明が解決しようとする課題】
【０００４】
しかしながら、上述した従来の技術では以下の問題がある。
すなわちこの種の発券装置には、装置全体の制御を行うにＣＰＵ等の制御部や各種の情報を記憶する記憶部を搭載した制御基板が実装されており、前記記憶部には制御部が実行する制御のためのプログラムが記憶される他、発券装置固有の情報として、各券媒体毎の累計発行枚数、印字ヘッドや磁気情報の書込みヘッド及び読取りヘッド等の寿命のある部品の使用回数、及び装置への累計通電時間等の保守用情報と、装置の主要機能である印字部、磁気情報の書込みヘッドや磁気読取りヘッド、及び媒体繰出し手段における固有の調整用の各パラメータ値、例えば媒体に対する印字位置、書込み位置、読取り位置、繰出しタイミング等の調整値情報とが書込まれているが、制御基板の定期的交換あるいは装置の誤動作の多発等により制御基板の交換が必要になった場合、本来発券装置自体で保持している必要のある前記の装置固有の情報が失われるため、交換後の制御基板に対して交換前の制御基板の記憶部に書込まれていた装置固有情報を再度入力することが必要になる。
【０００５】
そのため従来においては、制御基板交換前に所定の用紙を挿入口から挿入して装置固有情報を印字出力させておき、制御基板交換後にオペレータが用紙に印字された装置固有情報を確認しながら装置固有情報をキー入力するようにしているが、これによると限られた時間内での基板の交換作業、装置固有情報の再入力作業、動作確認を行う必要があることから、特に装置固有情報の再入力作業を行うことが時間的に困難になることがあり、また入力ミスを生じ易いという問題がある。
【０００６】
本発明は、このような問題を解決することを課題とする。
【課題を解決するための手段】
【０００７】
そのため、本発明は、磁気情報の書込みが可能な券媒体に印字や磁気書込みを行って所定の券として発券する発券装置において、装置全体の制御を行う制御部、この制御部に制御を実行させるための制御プログラム及び装置固有の情報を記憶した制御基板を交換する前に前記記憶部に記憶されている装置固有の情報を券媒体に磁気情報として書込んで発券し、前記制御基板の交換後、前記券媒体を挿入させ、挿入された券媒体から前記磁気情報としての装置固有の情報を読取って交換された新たな制御基板の記憶部に記憶させることを特徴とする発券装置。
【発明の効果】
【０００８】
このようにした本発明は、制御基板の交換前に記憶部から装置固有情報を読出して磁気情報として券媒体に書込んで発券し、制御基板交換後にその券媒体を挿入させて装置固有情報を読取とって交換後の新たな制御基板の記憶部に書込むようにしているため、従来のようなオペレータによる装置固有情報のキー入力作業が不要となり、短時間で装置固有情報の再入力が可能になると共に、入力ミスをなくすことができるという効果が得られる。
【発明を実施するための最良の形態】
【０００９】
以下、図面を参照して本発明による発券装置の実施例を説明する。
【実施例】
【００１０】
図１は実施例の内部構造を示す側面図である。
図において１は発券装置で、この発券装置１には搬送ローラやガイド板等により形成された搬送路２が設けられている。
この搬送路２の一端部側にはロール状の券媒体３が装着されると共に、カード状の券媒体を収納するホッパ４が設けられており、搬送路２の他端部側には他端部に券排出口５と券挿入口６とが設けられていて、券排出口５と対応するように装置正面に排出スタッカ１４が設けられている。
【００１１】
また、搬送路２に沿って一端部側から他端部側に向かってカッター部７、印字部８、１１、磁気書込みヘッド１２、磁気読取りヘッド１３が設けられ、更に搬送路２にはバイパス路２ａ、分岐路２ｂが設けられていて、分岐路２ｂの途中にはパンチ部９が、終端には回収スタッカ１０が設けられている。
１５は制御基板で、この制御基板１５には、ＣＰＵ等の制御部、記憶部、コンデンサ、抵抗等の電気部品が搭載されている。
【００１２】
図２は実施例の制御系を示すブロック図で、１６は制御基板１５に搭載された制御部、１７は同じく制御基板１５に搭載された記憶部、１８はＬＣＤ等の表示部、１９はキーボード等の入力部で、制御部１６には印字部８、１１、書込みヘッド１２、読み取りヘッド１３と共に記憶部１７、表示部１８、入力部１９が接続されている。
また、図示しないが発券装置１の内部には、搬送ローラを駆動するモータ、ロール状の券媒体３やカード状の券媒体を繰出す繰出し手段を駆動するモータ、カッター部７やパンチ部９を動作させるプランジャマグネット等のアクチュエータ類、搬送路２を搬送される券媒体を検知する光学センサ類が実装されて、これらも制御部１６に接続されている。
【００１３】
記憶部には制御部が実行する制御のためのプログラムが記憶されている他、発券装置固有の情報として、保守用情報及び調整値情報が装置固有情報として記憶されるものとなっている。
ここで保守用情報は、各券媒体毎の累計発行枚数、印字部８、１１の印字ヘッドや書込みヘッド、読取りヘッド１３等の寿命のある部品の使用回数、及び装置への累計通電時間等の情報であり、また調整値情報は、装置の主要機能である印字部８、１１の印字ヘッド、書込みヘッド１２、読取りヘッド１３、及び媒体繰出し手段における固有の調整用の各パラメータ値、例えば媒体に対する印字位置、書込み位置、読取り位置、繰出しタイミング等の情報である。
【００１４】
また、このほかにも記憶部１７には発券の際に表示部１８に表示する誘導画面や、保守等の表示部１８に表示するメニュー画面等の画面データも記憶されている。
この構成において、例えば乗物の乗車券や発券する場合、ロール状の券媒体３を繰出し手段により繰出して所定の長さにカッター部７で切断し、切断された券媒体３を搬送路２により印字部８に搬送して使用有効期間、利用区間、金額等の情報を黒色のインクで印字（黒色）する。
【００１５】
そして、例えば赤色の印字が必要の場合、券媒体３を印字部１１に搬送して所定の情報を印字した後、書込みヘッド１２の位置に搬送し、赤色の印字が必要ない場合は券媒体３を印字部８からバイパス路２ａにより書込みヘッド１２の位置に搬送して書込みヘッド１２により券媒体３に設けられている磁気ストライプに前記と同様の情報の磁気書込みを行い、書込んだ磁気情報を読取りヘッド１３により読取って、正常な場合は排出口５から排出スタッカ１４に排出する。
【００１６】
読取りヘッド１３により読取った情報が異常な場合、つまり正常な書込みが行われなかった場合は、券媒体３を搬送路２及び分岐路２ｂによりパンチ部９に搬送し、このパンチ部９で券媒体に穴あけを行って回収スタッカ１０に収納した後、再びロール状の券媒体３を繰出して前記と同様に処理を行い発券する。
また、定期券発券する場合、カード状の券媒体を収納したホッパ部４から複数のローラ等による繰出し手段により券媒体を繰出し、その券媒体に券媒体３と同様に使用有効期間、利用区間、金額等の情報を印字及び磁気書込みを行い、磁気情報を読取って排出口５から排出スタッカ１４に排出する。
【００１７】
このように発券処理を行う毎に、記憶部１７に記憶されている前記の保守用情報を更新する。
図３は上述した構成の作用を示すフローチャートで、この図にＳで示したステップに従って作用を説明する。
尚、以下に説明する各部の動作は、記憶部１７に格納された制御プログラムに基づいて制御部１６により制御されるものとし、制御部１６による記憶部１７等からの制御プログラムや画面情報の読出等については説明を省略する。
【００１８】
制御基板１５の定期的交換あるいは装置の誤動作の多発等により制御基板１５の交換が必要になった場合、係員は入力部１９を操作してテストプログラムメニュー画面を表示部１８に表示させる（Ｓ１）。
このテストプログラムメニュー画面には「装置固有情報出力」、「装置固有情報入力」、「保守」、「動作確認」等の選択項目が表示されており、その画面の中から、係員が「装置固有情報出力」選択すると（Ｓ２）、この選択を受けて制御部１６はロール状の券媒体３を繰出し手段により繰出して所定の長さにカッター部７で切断し、切断された券媒体３を搬送路２からバイパス路２ａを経て書込みヘッド１２の位置に搬送する（Ｓ３）。
【００１９】
そして、制御部１６は記憶部１７から装置固有情報である保守用情報及び調整値情報を読出し、読出した情報を書込みヘッド１２に送って書込みを指示する
これにより書込みヘッド１２は保守用情報及び調整値情報を磁気情報として券媒体３の磁気ストライプに書込み（Ｓ４）、書込みが終了すると、制御部１６はその情報を読取りヘッド１３に読取らせて内容を確認する（Ｓ５）。
【００２０】
内容が正常であれば制御部１６は券媒体３を券排出口５から排出スタッカ１４に排出する（Ｓ６）。
次に係員が発券装置１の電源を切って制御基板１５を交換し（Ｓ７）、  交換後、係員が発券装置１の電源を入れて起動する。
そして、入力部１９を操作して前記と同じテストプログラムメニュー画面を表示部１８に表示させ（Ｓ８）、その画面の中から「装置固有情報入力」を選択する（Ｓ９）。
【００２１】
この選択を受けて制御部１６は、先に排出した装置固有情報が書込まれた券媒体３の挿入を促す画面を表示部１８に表示させる共に、読取りヘッド１３に対して読取りを指示する。
これにより係員が装置固有情報が書込まれた券媒体３を券挿入口６から挿入すると（Ｓ１０）、その挿入された券媒体１を読取りヘッド１３の位置に搬送する。
【００２２】
読取りヘッド１３は券媒体３が搬送されてくると、その券媒体３の磁気ストライプから
装置固有情報を読取り（Ｓ１１）、その読取った装置固有情報を制御部１６は記憶部１７の所定のエリアに書込んで記憶させる。
その後制御部１６は券媒体３をパンチ部９に搬送し、このパンチ部９で券媒体３に穴あけを行ってから回収スタッカ１０に収納して（Ｓ１２）処理を終了する。
【００２３】
尚、装置固有情報と同じく記憶部１７に書込まれている制御プログラムについては、装置共通のデータであるので再設定する必要は特にない。
以上説明した実施例によれば、制御基板の交換前に記憶部から装置固有情報を読出して磁気情報として書込みヘッドにより券媒体に書込んで発券し、制御基板交換後にその券媒体を挿入させて読取りヘッドにより装置固有情報を読取って交換後の新たな制御基板の記憶部に書込むようにしているため、従来のようなオペレータによる装置固有情報のキー入力作業が不要となり、短時間で装置固有情報の再入力が可能になると共に、入力ミスをなくすことができるという効果が得られる。
【００２４】
尚、上述した実施例ではロール状の券媒体３を切断して、その券媒体３に装置固有情報を書込むようにしたが、カード状の券媒体を収納したホッパ部４からから繰出して、このカード状の券媒体に装置固有情報を磁気書込みし、制御基板交換後にその券媒体を挿入させて読取りヘッドにより装置固有情報を読取るようにしてもよい。
【図面の簡単な説明】
【００２５】
【図１】実施例の内部構造を示す側面図
【図２】実施例の制御系を示す側面図
【図３】実施例の作用を示す側面図
【符号の説明】
【００２６】
１    発券装置
２    搬送路
３    券媒体
４    ホッパ
５    券排出口
６    券挿入口
７    カッター部
８    印字部
９    パンチ部
１０  回収スタッカ
１１  印字部
１２  磁気書込みヘッド
１３  磁気読取りヘッド
１４  排出スタッカ
１５  制御基板
１６  制御部
１７  記憶部
１８  表示部
１９  入力部
【図１】
2008146144.tif 000003
【図２】
2008146144.tif 000004
【図３】
2008146144.tif 000005